(57)【要約】【課題】小型で安価な複数のイオン発生部を有するイオン発生装置およびそれを備える電気製品を提供する。【解決手段】イオン発生装置（１００）は、高圧トランス（６）を各々有する複数のイオン発生部（９−１、９−２）と、高圧トランス（６）を駆動する駆動部（１０）とを備える。駆動部は、複数のイオン発生部のいずれかに電力供給を行う切替え部（１２）を有する。【選択図】図１
2013033654.tif 000002
【特許請求の範囲】
【請求項１】
放電電極、誘導電極、および前記放電電極に印加する高電圧を発生させる高圧トランスを有する複数のイオン発生部と、
トランス入力回路と、
前記複数のイオン発生部のいずれか１つと前記トランス入力回路の出力を接続する切替え部とを、備えるイオン発生装置。
【請求項２】
前記切替え部は、前記トランス入力回路の出力を前記高圧トランスの１次側に接続する、請求項１記載のイオン発生装置。
【請求項３】
請求項１または２に記載のイオン発生装置を備える電気機器であって、
送風機と、
前記イオン発生部が発生するイオンを前記送風機による送風気流に乗せて放出する第１および第２の吹出口と、
前記送風機と前記第１および第２の吹出口とを各々つなぐ第１および第２のダクトを備え、
前記第１のダクトには、前記イオン発生部、前記トランス入力回路、および前記切替え部が配置され、
前記第２のダクトには、前記切替え部を介して前記トランス入力回路と接続される前記イオン発生部が配置される、イオン発生装置を備える電気機器。
【請求項４】
前記電気機器は、さらに前記第１および第２のダクトのいずれか１つを風路として使用可能とする風路開閉機構を備え、
前記第１および第２のダクトに各々配置される前記イオン発生部は、前記風路開閉機構と前記第１および第２の吹出口との間に配置される、請求項３に記載のイオン発生装置を備える電気機器。
【発明の詳細な説明】
【技術分野】
【０００１】
本発明は、イオン発生装置およびそれを備える電気機器に関し、特に、複数の吹き出し口に取り付けるイオン発生装置およびそれを備える電気機器に関する。
【背景技術】
【０００２】
近年、イオン発生装置で発生させた正イオンおよび負イオン（以下、正／負イオン、とも記載する。）を空気中に放出することにより居住空間の空気を清浄化する技術開発が盛んに行われている。たとえば、空気清浄機の内部に設けられた通風路に、正／負イオンを発生させるイオン発生装置を配置し、発生させたそれらイオンを空気とともに吹き出し口から放出する空気清浄機などが知られている。放出されたイオンは、居住空間に存在する浮遊粒子を不活性化させ、浮遊細菌を死滅させるとともに臭気成分を分解する。これにより、居住空間全体の空気が清浄化される。
【０００３】
特許第４４０８７６７号公報（特許文献１）には、吹出し方向が異なる２つの吹出口を備えた通風路と送風機との間に、ダンパーを備えた空気清浄機が開示されている。ダンパーと送風機との間にはイオン発生装置が配置され、ダンパーにより吹出し方向が制御されたイオンを含む空気が吹出口より放出される。
【０００４】
特許第４５０３０８５号公報（特許文献２）には、正イオンを発生させる正イオン発生部と負イオンを発生させる負イオン発生部とを各々複数備え、それらをケースに一体化して収納したイオン発生装置が開示されている。
【先行技術文献】
【特許文献】
【０００５】
【特許文献１】特許第４４０８７６７号公報
【特許文献２】特許第４５０３０８５号公報
【発明の概要】
【発明が解決しようとする課題】
【０００６】
イオン発生装置の主な用途として、上記のように居住空間全体の空気清浄効果を期待する場合と、使用者に向けてイオンを送出する場合とがある。居住空間全体の空気清浄効果を期待する場合は、正イオンおよび負イオンを居住空間全体に行き渡らせることが必要である。一方、使用者に向けてイオンを送出する場合は、イオンを送出する吹出口を切り替えて照射させることが必要となる。
【０００７】
このような使用方法を可能とするためには、気流の吹出口を複数設けるとともに、気流方向を切り替える構造、もしくは各々の吹出口にイオン発生装置を設置して切り替える構造が必要となる。気流方向を切り替える構造は、各々の吹出口をダンパー等で交互に閉塞する必要があり、構成が複雑となる。そこで、各々の吹出口にイオン発生装置を設置して切替え使用する構成を採用すると、イオン発生装置が複数必要となる。いずれも、イオン発生装置、およびそれを備える電気機器を安価に提供することが困難となる。
【課題を解決するための手段】
【０００８】
本発明は、放電電極、誘導電極、および放電電極に印加する高電圧を発生させる高圧トランスを有する複数のイオン発生部と、トランス入力回路と、複数のイオン発生部のいずれか１つとトランス入力回路の出力を接続する切替え部とを、備えるイオン発生装置である。
【０００９】
本発明において、切替え部は、トランス入力回路の出力を高圧トランスの１次側に接続することが望ましい。
【００１０】
本発明は、上記に記載のイオン発生装置と、送風機と、イオン発生部が発生するイオンを送風機による送風気流に乗せて放出する第１および第２の吹出口と、送風機と第１および第２の吹出口とを各々つなぐ第１および第２のダクトを備え、第１のダクトには、イオン発生部、トランス入力回路、および切替え部が配置され、第２のダクトには、切替え部を介してトランス入力回路と接続されるイオン発生部が配置される、イオン発生装置を備える電気機器である。
【００１１】
本発明において、電気機器は、さらに第１および第２のダクトのいずれか１つを風路として使用可能とする風路開閉機構を備え、第１および第２のダクトに各々配置されるイオン発生部は、風路開閉機構と第１および第２の吹出口との間に配置されることが望ましい。
【発明の効果】
【００１２】
本発明によれば、小型で安価な複数のイオン発生部を有するイオン発生装置を提供することができる。さらに、複数の吹出口から使用目的に応じてイオンを放出する空気清浄機の小型化を実現し、安価に提供することができる。
【図面の簡単な説明】
【００１３】
【図１】本発明の実施の形態１に係るイオン発生装置の構成図である。
【図２】本発明の実施の形態１に係るイオン発生装置の主装置の構造図である。
【図３】本発明の実施の形態１に係るイオン発生装置の副装置の構造図である。
【図４】本発明の実施の形態２およびその変形例に係る、イオン発生装置を備える空気清浄機の外観模式図である。
【図５】本発明の実施の形態２に係る、イオン発生装置を備える空気清浄機の内部を側面から見た構造模式図である。
【図６】本発明の実施の形態２に係る、イオン発生装置を備える空気清浄機の制御ブロック図である。
【図７】本発明の実施の形態２の変形例に係る、イオン発生装置を備える空気清浄機の内部を側面から見た構造模式図である。
【図８】本発明の実施の形態２の変形例に係る、イオン発生装置を備える空気清浄機の制御ブロック図である。
【発明を実施するための形態】
【００１４】
以下、図面を参照しつつ、本発明の実施の形態について説明する。実施の形態の説明において、個数、量などに言及する場合、特に記載ある場合を除き、本発明の範囲は必ずしもその個数、量などに限定されない。実施の形態の図面において、同一の参照符号や参照番号は、同一部分または相当部分を表わすものとする。また、実施の形態の説明において、同一の参照符号等を付した部分等に対しては、重複する説明は繰り返さない場合がある。
＜実施の形態１＞
図１を参照して、本発明の実施の形態１に係るイオン発生装置１００について説明する。
【００１５】
イオン発生装置１００は、主装置１１および副装置１３で構成される。主装置１１は、イオン発生部９−１および駆動部１０で構成される。駆動部１０は、外部から入力電源として直流電源や商用交流電源の供給を受ける電源および入力コネクタ８、トランス入力回路７、および切替え部１２を有する。切替え部１２は、トランス入力回路７の出力を、主装置１１に含まれるイオン発生部９−１または副装置１３に含まれるイオン発生部９−２のいずれか一方に供給する。
【００１６】
主装置１１のイオン発生部９−１は、高圧トランス６、正高電圧生成回路４、負高電圧生成回路５、放電電極１−１、１−２、誘導電極２、および保持体３を有する。高圧トランス６の１次側には、駆動部１０の切替え部１２を経由して、トランス入力回路７の出力が供給される。トランス入力回路７により駆動された高圧トランス６の一方の出力は、誘導電極２と電気的に接続される。高圧トランス６の他方の出力は、正高電圧生成回路４および負高電圧生成回路５に印加される。
【００１７】
正高電圧生成回路４の出力は、放電電極１−１に接続されるとともに、誘導電極２に対して正極性の高電圧を放電電極１−１に印加される。負高電圧生成回路５の出力は、放電電極１−２に接続されるとともに、誘導電極２に対して負極性の高電圧を放電電極１−２に印加される。
【００１８】
正極性の高電圧が印加された放電電極１−１の先端では、誘導電極２から放電電極１−１の針先への電界集中により放電が発生し、正イオンのＨ＋（Ｈ２Ｏ）ｍ（ｍは任意の自然数）が発生する。負極性の高電圧が印加された放電電極１−２の先端では、誘導電極２から放電電極１−２への電界集中により放電が発生し、負イオンのＯ２−（Ｈ２Ｏ）ｎ（ｎは任意の自然数）が発生する。空気中に放出された正イオンのＨ＋（Ｈ２Ｏ）ｍと負イオンのＯ２−（Ｈ２Ｏ）ｎは、空気中の浮遊細菌やウイルスの表面に付着し、化学反応により浮遊細菌やウイルスを殺菌または失活することが知られている。
【００１９】
図１を参照して、イオン発生装置１００を構成する副装置１３について説明する。副装置１３は、高圧トランス６、正高電圧生成回路４、負高電圧生成回路５、放電電極１−１、１−２、誘電電極２、および保持体３を有する。高圧トランス６の１次側には、駆動部１０に含まれる切替え部１２、コネクタ１４、および電力供給線１５を経由して、トランス入力回路７から電力供給が可能な状態に接続されている。トランス入力回路７により駆動された高圧トランスの一方の出力は、誘導電極２と電気的に接続される。高圧トランス６の他方の出力は、正高電圧生成回路４および負高電圧生成回路５に印加される。
【００２０】
正高電圧生成回路４の出力は、放電電極１−１に接続されるとともに、誘導電極２に対して正極性の高電圧を放電電極１−１に印加される。負高電圧生成回路５の出力は、放電電極１−２に接続されるとともに、誘導電極２に対して負極性の高電圧を放電電極１−２に印加される。放電電極１−１および１−２の先端部で各々生成される正／負イオンの働きに関しては、イオン発生部９−１と同様である。
【００２１】
イオン発生装置１００では、主装置１１または副装置１３が有するイオン発生部のうち、選択されたイオン発生部が正／負イオンを発生する。そのイオン発生部９−１とイオン発生部９−２の選択は、主装置１１の切替え部１２により行われる。選択されたイオン発生部へは、切替え部１２を経由してトランス入力回路７の出力が供給される。
【００２２】
本発明の実施の形態に係るイオン発生装置１００において、イオン発生部９−１とイオン発生部９−２とが有する放電電極１−１および放電電極１−２の構造は、針状電極を一例として説明する。しかしながら、放電電極の構造は、それに限られるものではない。例えば、絶縁性を有する基板上に電極を印刷や貼り付けにより形成した構造や、絶縁性を有する管の外側と内側に電極を設けた構造で放電電極を実現してもよい。
【００２３】
また、電極構造によって多少差異はあるものの、小型のイオン発生装置の放電電極に印加される電圧は、１ｋＶから１０ｋＶ程度である。イオン発生装置の電源として、国内では通常、１００Ｖの商用交流電源や、直流電源である車用電源の１２Ｖ若しくは２４Ｖが一般的である。
【００２４】
図２を参照して、イオン発生装置１００を構成する主装置１１の構造図を説明する。
図２において、図１と同じ番号または記号が付与された各部分の構成は同一であり、それらの機能説明は省略する。なお、図面が煩雑になるのを避けるため、図２には、駆動部１０とイオン発生部９−１の主要部分の構造のみを描いている。
【００２５】
主装置１１を構成する駆動部１０およびイオン発生部９−１は、筐体１１ａに収納される。図２において、駆動部１０およびイオン発生部９−１は、筐体１１ａに収納する前の状態を描いており、実際は、１点破線で対応付けられている通り、筐体１１ａの区切られた各部分に収納される。筐体１１ａには、電源および入力コネクタ８と、コネクタ１４の一方を構成するソケット用ハウジング１４ａとが取り付けられている。筐体１１ａは筐体１１ｂで蓋がされる。
【００２６】
図３を参照して、イオン発生装置１００を構成する副装置１３の構造図を説明する。
図３において、図１と同じ番号または記号が付与された各部分の構造は同一であり、それらの機能説明は省略する。なお、図面が煩雑になるのを避けるため、図３には、イオン発生部９−２の主要部分の構造のみを描いている。
【００２７】
副装置１３を構成するイオン発生部９−２は、筐体１３ａに収納される。図３において、イオン発生部９−２は、筐体１３ａに収納する前の状態を描いており、実際は、１点破線で対応付けられている通り、筐体１３ａの区切られた各部分に収納される。筐体１３ａに収納された高圧トランス６の１次側には、電力供給線１５の一端が接続される。その電力供給線１５の他端は、コネクタ１４の他方を構成するピン用ハウジング１４ｂと接続される。
【００２８】
イオン発生装置１００を使用する際は、主装置１１の筐体が備えるソケット用ハウジング１４ａに副装置１３の筐体が備えるピン用ハウジング１４ｂを差し込んだ状態にする。なお、電力供給線１５の長さは、主装置１１と副装置１３が配置される位置や間隔等を考慮し、適切に選択する。
【００２９】
イオン発生装置１００では、主装置１１に、トランス入力回路７の出力を副装置１３へ分岐させるための分岐用コネクタ１４を設けている。しかし、分岐用コネクタ１４を省略して出力接点または出力端子とすることも可能である。どのような構成で分岐するにせよ、本発明の実施の形態に係るイオン発生装置１００によれば、イオン発生部と駆動部とを備えた主装置１１を１台用意すればよい。イオン発生装置１００を構成する他の副装置１３は、イオン発生部のみを備える構成で済むため、その小型化や配置の自由度を実現することが出来る。
【００３０】
以上のように、本発明の実施の形態１に係るイオン発生装置１００は、複数のイオン発生部（９−１、９−２）のいずれか１つに、各イオン発生部が有する高圧トランス６の一次側へ電力供給を行うことにより、イオンを発生させるイオン発生部を選択する。高圧トランス６の１次側は２次側に対して低電圧であり、そこへ電力供給を行う切替え部１２を構成する素子は、低電圧用のものでよい。また、複数のイオン発生部の１つに供給される電力も数ワット程度である。従って、イオン発生装置１００に含まれる切替え部１２を構成する素子の耐電圧容量の低減、小型化、および低価格化に直接結びつく。
【００３１】
さらに、従来のイオン発生装置を複数台使用する場合と比べ、複数のイオン発生部を駆動する駆動部を共通化できるため、イオン発生装置の小型化や低価格化が実現できる。
【００３２】
これに対し、高圧トランスの２次側の出力側に切替え部を設け、複数のイオン発生部へ選択的に高電圧を供給する構成では、切替え部に使用する素子や配線材も高電圧用が必要となる。また、そのような構成を採用した場合、各々のイオン発生部の設置場所によって高圧トランスの２次側配線の長さが異なり、配線の浮遊電気容量に差が生じる。そのため、最終的に、各イオン発生部において、放電電極と誘導電極との間に印加される電圧値や電圧波形に差が生じる。さらに、配線長や引き回し方法の相違により２次側配線の浮遊電気容量が簡単に変化するため、設計者が意図した通りのイオン発生を実現することが困難となる。
＜実施の形態２＞
図４を参照して、実施の形態１に係るイオン発生装置を備える電気機器の例として、空気清浄機２０の外観模式図を説明する。空気清浄機２０の本体２０ａの天面および前面には、各々、第１の吹出口２０１および第２の吹出口２０２が設けられている。本体２０ａの天面には、操作部２０３が配置されている。
【００３３】
図５を参照して、本発明の実施の形態２に係る空気清浄機２０の内部を側面から見た構造模式図２０−１を説明する。図５に示す内部の側面は、図４において空気清浄機２０のＡ−Ａ断面を側面方向から見た構造模式図である。
【００３４】
空気清浄機２０は、本体２０ａの内部に、ファン２０４ａおよびモータ２０４ｂを有する送風機２０４を備える。本体２０ａの天面および前面には、各々、第１の吹出口２０１および第２の吹出口２０２が設けられている。送風機２０４と第１の吹出口２０１および第２の吹出口２０２は、各々、第１のダクト２０１ａおよび第２のダクト２０２ａでつながれている。
【００３５】
第１のダクト２０１ａと第２のダクト２０２ａの分岐点２０８には風路開閉機構２０７が設けられる。風路開閉機構２０７は、操作部２０３からの信号に基づいて、ダクト２０１ａまたはダクト２０２ａへの通気を選択する。第１のダクト２０１ａには、分岐点２０８と第１の吹出口２０１の途中の位置に、イオン発生装置１１が配置される。第２のダクト２０２ａには、分岐点２０８と第２の吹出口２０２の途中の位置に、イオン発生装置１３が配置される。なお、第１および第２のダクトに配置するイオン発生装置は、入れ替えてもよい。
【００３６】
空気清浄機２０の背面には吸込口２０５が設けられ、脱臭フィルター２０６ａと浄化フィルター２０６ｂを経由して、周囲の空気を吸い込む。吸い込まれた空気は、送風機２０４により上方へ送出され、風路開閉機構２０７で通気が選択された第１のダクト２０１ａまたは第２のダクト２０２ａのいずれか一方に導かれる。第１のダクト２０１ａまたは第２のダクト２０２ａに導かれた空気は、イオン発生装置１１またはイオン発生装置１３で発生された正／負イオンとともに、第１の吹出口２０１または第２の吹出口２０２から機外に放出される。
【００３７】
図６を参照して、空気清浄機２０の制御ブロック図を説明する。
空気清浄機２０の本体２０ａの天面２０３には、運転スイッチ３１、運転モード選択手段３２、タイマー運転選択手段３３、およびそれらスイッチや選択手段に対応する表示手段３４が設けられている。運転スイッチ３１は、空気清浄機２０の運転／停止を選択する。運転モード選択手段３２は、標準運転／イオンシャワーを選択する。タイマー運転選択手段は、運転時間／運転時刻を決定する。
【００３８】
運転スイッチ３１、運転モード選択手段３２、およびタイマー運転選択手段３３で設定された情報は、計時手段３５の情報とともに、制御装置３０で処理される。制御装置３０は、その処理結果に応じて、送風機２０４、イオン発生装置１００、イオン発生切替え部１２、および風路開閉機構２０７を制御する。
【００３９】
図５および図６を参照して、各運転モード毎の空気清浄機２０の動作を説明する。
運転スイッチ３１を押すと、制御装置３０は送風機２０４を作動させる。居住空間全体の空気清浄化を目的とする場合、操作部２０３に設けられている運転モード選択手段３２で「標準運転」を選択する。この選択に応答して、制御装置３０は、イオン発生切替え部１２に対して、イオン発生装置１００の主装置１１が有するイオン発生部９−１から正／負イオンを発生させるよう指示する。具体的には、主装置１１が有する切替え部１２は、トランス入力回路７の出力を、イオン発生部９−１が有する高圧トランス６へ供給する。
【００４０】
「標準運転」が選択されると、さらに、制御装置３０は風路開閉機構２０７に対して、第２のダクト２０２ａを閉じるよう指示する。この結果、第１のダクト２０１ａが風路として設定される。イオン発生部９−１から発生される正／負イオンは、第１のダクト２０１ａを経由して、空気清浄機２０の天面に設けられている第１の吹出口２０１から空気とともに居住空間に効率よく放出される。
【００４１】
使用者に集中してイオンを送出する場合は、運転モード選択手段３２で「イオンシャワー」を選択する。この選択に応答して、制御装置３０は、イオン発生切替え部１２に対して、イオン発生装置１００の副装置１３が有するイオン発生部９−２から正／負イオンを発生させるよう指示する。具体的には、主装置１１が有する切替え部１２は、トランス入力回路７の出力を、イオン発生部９−２が有する高圧トランス６へ供給する。
【００４２】
「イオンシャワー」が選択されると、さらに、制御装置３０は風路開閉機構２０７に対して、第１のダクト２０１ａを閉じるよう指示する。この結果、第２のダクト２０２ａが風路として設定される。イオン発生部９−２から発生される正／負イオンは、第２のダクト２０２ａを経由して、空気清浄機の前面に設けられている第２の吹出口２０２から、空気とともに使用者に向けてスポット的に照射される。
【００４３】
以上のように、本発明の実施の形態２に係るイオン発生装置を備える空気清浄機２０は、複数のダクト毎にイオン発生装置を配置したので、各ダクトの吹出口から使用目的に沿ったイオンを放出することができる。また、複数のダクトを選択して風路として使用可能とする風路開閉機構を備えているため、吹出口が複数あっても風量が低下することなく、高濃度のイオンを放出することが出来る。
＜実施の形態２の変形例＞
図７を参照して、実施の形態２の変形例に係る空気清浄機２０の内部を側面からみた構造模式図２０−２を説明する。
【００４４】
図７に示す内部の側面は、図４において空気清浄機２０のＡ−Ａ断面を側面方向から見た構造模式図である。図７に示すとおり、実施の形態２の変形例に係る空気清浄機２０は、図５のダクト分岐点２０８に設けられていた風路開閉機構２０７を省略した構成を有する。図７の各部分の説明は、対応する図５の説明を参照されたい。
【００４５】
図７において、第１のダクト２０１ａと第２のダクト２０２ａの開口面積は、好ましい風量比率が得られるように設計する。例えば、
＜ダクト２０１ａの風量＞：＜ダクト２０２ａの風量＞  ＝  ８：２
とする。
【００４６】
図７および図８を参照して、各運転モード毎の空気清浄機２０の動作を説明する。図７に示すとおり、ダクト分岐点２０８には風路開閉機構は省略されている。それに伴い、図８に示す空気清浄機２０の制御ブロックにおいて、風路開閉機構も省略される。従って、空気清浄機２０の運転モードによらず、上記ダクトの開口面積比に応じて、第１の吹出口２０１と第２の吹出口２０２から空気が放出される。
【００４７】
図８において、運転モード選択手段３２で「標準運転」が選択されると、制御装置３０は、イオン発生切替え部１２に対して、イオン発生装置１００の主装置１１が有するイオン発生部９−１から、正／負イオンを発生させるよう指示する。この結果、第１の吹出口２０１から、正／負イオンが空気とともに居住空間に効率よく放出される。
【００４８】
運転モード選択手段３２で「イオンシャワー」が選択されると、制御装置３０は、イオン発生切替え部１２に対して、副装置１３が有するイオン発生部９−２から、正／負イオンを発生させるよう指示する。この結果、第２の吹出口２０２から、正／負イオンが空気とともに使用者に向けてスポット的に照射される。
【００４９】
以上のように、本発明の実施の形態２の変形例に係るイオン発生装置を備える空気清浄機２０は、風路開閉機構（ダンパーやモータ等）を省略しつつ、各ダクトの吹出口から使用目的に沿ったイオンを放出することができる。その結果、イオン発生装置のコストをさらに低減することが可能となる。さらに、各ダクト毎にイオン発生装置を配置しているため、空気中の浮遊細菌やウイルスを殺菌または失活する効果は損なわれない。
【００５０】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【００５１】
１−１,１−２  放電電極、２  誘導電極、３  保持体、４  正高電圧生成回路、５  負高電圧生成回路、６  高圧トランス、７  トランス入力回路、８  電源および入力コネクタ、９−１  第１のイオン発生部、９−２  第２のイオン発生部、１０  駆動部、１１  主装置、１２  イオン発生切替え部、１３  副装置、１４  コネクタ、１５  電力供給線、１１ａ,１１ｂ  筐体、１４ａ  ソケット用ハウジング、１３ａ,１３ｂ  筐体、１４ｂ  ピン用ハウジング、２０  空気清浄機、２０ａ  空気清浄機の本体、２０１  第１の吹出口、２０２  第２の吹出口、２０３  操作部、２０−１，２０−２  空気清浄機の内部側面図、２０１ａ  第１のダクト、２０２ａ  第２のダクト、２０４ａ  ファン、２０４ｂ  モータ、２０４  送風機、２０５  吸気口、２０６ａ  脱臭フィルター、２０６ｂ  浄化フィルター、２０７  風路開閉機構、２０８  ダクト分岐点、３０  制御装置、３１  運転スイッチ、３２  運転モード選択手段、３３  タイマー運転選択手段、３４  表示手段、３５  計時手段、１００  イオン発生装置。
【図１】
2013033654.tif 000003
【図２】
2013033654.tif 000004
【図３】
2013033654.tif 000005
【図４】
2013033654.tif 000006
【図５】
2013033654.tif 000007
【図６】
2013033654.tif 000008
【図７】
2013033654.tif 000009
【図８】
2013033654.tif 000010